(57)【特許請求の範囲】
【請求項１】
頭部の、少なくとも前頭葉部から左右双方の耳部を経て襟足部までの領域を被覆装着が可能で、外側フィルムの２層を積層する積層体、又は、外側フィルム２層の間に内側フィルムを少なくとも１層を有する積層体からなり、内部と外部とを遮断するシール帯を周縁全周に備えた袋体であり、前記シール帯の一部に前記頭部の外周に適合する開口部寸法が得られる開口部シール帯を含み、前記開口部シール帯の近傍に、少なくとも１組の、前記開口部を切り欠くための切り口と、前記切り口と反対側に位置する切り欠き止め線とを有し、始点となる前記切り口から終点となる前記切り欠き止め線に向かう切断線に沿って切り欠かれることにより前記開口部シール帯が取り除き可能に構成され、前記袋体の、下部の左右双方の耳部近傍に、耳部にかけるための双方突端部を設け、前記双方突端部に切り欠き線又は切り欠き孔を有し、
更に、前記袋体を前記頭部に被覆装着させるための、前記耳部近傍に帯状体を備えて、前記帯状体の一部に粘着が可能な粘着部を設け、前記袋体の側面から顎部近傍を経てもう一方の側面に貼り付けて前記袋体を固定させる頭髪又は頭皮用のケア用品。
【請求項２】
前記袋体の前記内部に薬剤又は薬事原料以外の材料を有する請求項１に記載の頭髪又は頭皮用ケア用品。
【請求項３】
前記開口部シール帯の近傍に、前記頭部の外周に適合する開口部を選択するための、切り欠く切り口と、前記切り口と反対側に位置する切り欠き切り止め線とを備えた請求項１に記載の頭髪又は頭皮用のケア用品。
【請求項４】
前記袋体の開口部と平行に設けられた切り欠き方向を示す切り欠き方向線をさらに有し、前記切り口は、前記切り欠き方向線の周縁に位置し、前記切り欠き止め線は、前記切り欠き方向線の前記切り口と反対側に位置する請求項３に記載の頭髪又は頭皮用のケア用品。
【請求項５】
長さが異なる複数の前記切り欠き方向線を有する請求項４に記載の頭髪又は頭皮用のケア用品。
【請求項６】
前記袋体に蛇腹構成を有し、前記蛇腹の方向は、前記前頭葉部から前記襟足部に向かい、少なくとも側面の一部に指先部が係る蛇腹折りを備える請求項１に記載の頭髪又は頭皮用のケア用品。
【請求項７】
前記双方突端部に設ける前記切り欠き線は、少なくとも１本の切り欠き線に少なくとも１つの切り残し部と不連続の少なくとも１本の切り欠き線を有し、又は前記切り欠き線に代えて切り欠き孔を有する請求項１に記載の頭髪又は頭皮用のケア用品。
【請求項８】
前記外側フィルムと前記内側フィルムの互いの少なくとも一部の面が固着された請求項１記載の頭髪又は頭皮用のケア用品。
【請求項９】
前記積層体の前記内側フィルムの面積は、前記外側フィルムの面積以下である請求項１記載の頭髪又は頭皮用のケア用品。
【請求項１０】
前記袋体を構成する断面は、１枚の前記外側フィルムに少なくとも１層の前記内側フィルムが積層されて、前記内側フィルムが向かい合うように折り合わされた請求項１に記載の頭髪又は頭皮用のケア用品。
【請求項１１】
前記袋体は折り畳まれて包装体に封入された請求項１に記載の頭髪又は頭皮用のケア用品。
【請求項１２】
前記袋体内に充填される前記薬剤又は薬事原料以外の材料が収納された容器と共に一つの包装体に同梱された請求項１に記載の頭髪又は頭皮用のケア用品。
【請求項１３】
前記切り口の位置を示す目印が付された請求項３に記載の頭髪又は頭皮用のケア用品。
【発明の詳細な説明】
【技術分野】
【０００１】
本発明は、頭髪又は頭皮に薬事の効能効果を有するケア用品に関する。
【背景技術】
【０００２】
以下に頭髪の、発毛、育毛、染毛、トリートメントや頭皮のケアについての出願がある。
【０００３】
特開平１０−２４８６２９号公報の、頭髪を染毛する際頭部に被せるキャップや特開平１０−２４８６３０号公報の、ヘアマニキュアをする際頭部に被せるキャップがある。
【０００４】
特開２００６−１６７２１５号公報の、被験者の頭部に効率的に発毛育毛剤を浸透させ
ることができる発毛育毛装置を提供する
【０００５】
特開２００３−９３１３５号公報の、頭皮毛細血管における血流を確保又は促進することにより毛根細胞の物質代謝を活発化させ、頭髪の育毛及び発毛を促進する方法を提供する。
【０００６】
特開２０１１−２４８１３号公報の、頭部装着器から噴出されるスチームの温度を簡易な方法を提供する。
【０００７】
公開実用新案平３−７２８０３号公報の、頭部の周長以上の幅を有し、〜水分吸収性の良い基布と、この基布の一端縁全長を収縮させるよう設けた伸縮自在の収縮縁部と、〜ヘアキャップ。
【０００８】
実用新案登録３０９８２３９号公報の、オゾン発生器とマイナスイオン発生器とを使用用途に応じて容易にそれぞれ制御することができるオゾン及びマイナスイオン発生器を提供する。
【０００９】
実用新案登録３１３１５８１号公報の、  従来のヘアキャップにはトリートメント効果や取扱の難易等の点で様々な問題点があるので、簡単に、安全に、期待のトリートメント効果が得られ、しかも熱源として安価に、かつ何時でも何処でも容易に入手可能な粉体酸化発熱体パックを利用し、〜頭部に装着して毛髪を覆い、覆われた毛髪に熱を行き渡らせるのに適した、〜ヘアキャップの内面に、少なくとも１個の粉体酸化発熱体パックを着脱自在に装着し得る。
【００１０】
しかしながら上述の発明には、頭髪や頭皮への薬事の効果が、場所を選ばずタイムリーに、安価に、安全・安定した効果が得られる記述が無い。
【先行技術文献】
【特許文献】
【００１１】
【特許文献１】特開平１０−２４８６２９号公報
【特許文献２】特開２００６−１６７２１５号公報
【特許文献３】特開２００３−９３１３５号公報
【特許文献４】特開２０１１−２４８１３号公報
【特許文献５】公開実用新案平３−７２８０３号公報
【特許文献６】実用新案登録３０９８２３９号公報
【特許文献７】実用新案登録３１３１５８１号公報
【発明の概要】
【発明が解決しようとする課題】
【００１２】
本願発明の、頭髪又は頭皮の少なくとも一部を覆うことができるケア用品は、薬事に対応する以下の課題を設ける。
【００１３】
第１の課題、ケア用品は、化粧品又は医薬部外品又は医薬品のより良い効能効果を表現するための形状と形態及び未開封において一定期間（医薬品：５カ年間、医薬部外品・化粧品３ヶ年間）を通して薬事に対応する製品仕様のパターンを明確にすることが必要である。
【００１４】
第２の課題、使用者自らが、場所を選ばず、容易に使用できる特徴を有する機能も必要である。
【００１５】
第３の課題、密閉された内部が、薬事の規格に適合するケア用品の開口部を取り除き、自らの頭髪や頭皮に合う薬剤を注入する用法も必要である。
【課題を解決するための手段】
【００１６】
本願発明は、第１の課題を解決する手段を備えている。また、本願発明は、第２の課題を解決する手段と、更に第３の課題を解決する手段とを備えていることが望ましい。
【００１７】
第１の課題を解決する手段は、頭部の、少なくとも前頭葉部から左右双方の耳部を経て襟足部までの領域を被覆装着することができる袋体を有し、袋体は、外側フィルムの２層を積層する積層体、又は、外側フィルム２層の間に内側フィルムを少なくとも１層を積層する積層体の周縁全周にシールを施したシール帯により袋体の内部と外部を遮断して密閉し、前記シール帯の一部が取り除き可能な開口部シール帯である頭髪又は頭皮用のケア用品。袋体は、溶断及び／又は刃型で打ち抜かれて形成されて、必要に応じて袋体の内部に薬剤又は雑貨を設けて課題を解決する。
【００１８】
第２の課題を解決する手段は、頭部に被覆装着するための自らに見合う開口部を容易に設けることができる、例えば、切り欠きの方向性を有するフィルムで構成し、開口部シール帯の取り除きを容易にする切り欠くための切り口、切り込み線、Ｖ字カット等とフィルムの切り欠いて取り除くことを示す切り欠き方向線と切り欠きを受け止める切り欠き止め線をセットで設けることで課題を解決する。
【００１９】
第３の課題を解決する手段は、ごく稀の、例えば、アレルギー体質の方々のために、液剤の収納が無い袋体と袋体内に充填する薬剤や雑貨対応の材料を収納した容器を一つの包装体に同梱し、袋体の開口部シール帯を取り除いて開口部を設け、自らに適合する薬剤や雑貨の材料を充填して課題を解決する。
【発明の効果】
【００２０】
本願発明の薬事対応を明確にした頭髪又は頭皮をケアするケア用品は、化粧品又は医薬部外品又は医薬品の効能効果の表現ができる形状と形態であり、使用する場所を選ばず、自らの頭部の寸法に見合う構成のアイデアを用いた形態であり、安価で簡単に使用することができる。加えて、介護の方々、高齢者の方々、病気療養中の方々、特異体質の方々等が自らに合う、薬事に対応した密閉容器に薬剤や雑貨を充填して使用することができる。
【図面の簡単な説明】
【００２１】
【図１】本願発明品のとなるケア用品本体の基本的な形状を示す平面図
【図２】図１に示すケア用品の使用説明図
【図３】図１のケア用品本体の断面であり、打ち抜かれる状況の平面図
【発明を実施するための形態】
【００２２】
本発明図１の、頭髪又は頭皮用のケア用品（以下、ケア用品という）は、少なくとも前頭葉部から左右双方の耳部を経て襟足部までの領域（以下、頭部という）を被覆して装着することができる袋体符号１の袋状であり、袋体を構成する断面は、外側フィルム符号１７の２層を積層する積層体、又は積層する外側フィルム２層の間に内側フィルム符号１６を少なくとも１層を積層する積層体、或いは、内側フィルムの面積は、外側フィルムの面積以下である積層体（以下、積層体という）の周縁全周を高周波や熱シール等のシール（以下、シール）を施したシール帯符号３で袋体の内部と外部を遮断して密閉した容器とし、シール帯の一部が取り除き可能な開口部シール帯符号２であり、溶断及び／又は刃型で打ち抜かれて形成された頭髪又は頭皮をケアするケア用品である。必要に応じて袋体内部に薬剤又は、雑貨を設ける。
【００２３】
本願発明図１の、ケア用品の使用性を高めるための形状及び形態は、例えば、人体（動物）の頭部を被覆して装着することができる袋状で薬剤等が収納され密閉された袋体に開口部シール帯を設け、被覆装着するための、開口部内周の寸法を、例えば、ＶカットのＬ符号６とＬの切り欠き方向線と切り欠きを受け止める切り欠き止め線Ｌ符号７、ＶカットのＭ符号８とＭの切り欠き方向線とＭ符号９、ＶカットのＳ符号１０とＳの切り欠き方向線とＳ符号１１をセットにした少なくとも一つの組を設け、開口部シール帯を取り除いて、頭部に被覆することや襟足部符号２１の毛髪を左右双方から包むが如く持ち上げ固定するバンケット部符号１５なる部位を設けながら左右双方の耳部に掛けることができる切り欠き線符号１３等を施した突端部符号１２を設け、左右の指先で毛髪等を揉み解す少なくとも一つの蛇腹符号４を構成する等の機能を設けている。機能を後述する。
【００２４】
ケア用品の、袋体の開口部シール帯を取り除く用具の使用を否定するものではないが、使用者が、場所を選ばず、旅行等の際に、例えば、飛行機内に持ちこみも可能で、開口部を設ける際の、シール帯の少なくとも袋体を取り除く開口部シール帯を取り除くハサミ等の用具を必要としない切り口、切り込み線、Ｖ字カット、ミシン目線等（以下、切り取り手段という）を設ける。
【００２５】
本願発明の密閉した袋体の内部に頭髪又は頭皮のための育毛剤、養毛剤、ヘアマニキュア、ヘアコンディショナー、ヘアリンス、シャンプー（例えば、大量の水量を含まない）、毛染め等、加えて、頭皮のためのかゆみ止め、炎症防止剤、湿疹治療剤、異臭防止剤、フケ止め等に対応する化粧品又は医薬部外品又は医薬品の薬液、粉黛、ゲル剤の塗布等（以下、薬剤という）或いは、雑貨対応の材料（以下、雑貨という）の温感、冷感等を設ける。
【００２６】
薬剤の収納が無い袋体の内部に、医療用具規格のガス置換、或いは、エチレンオキサイドガス滅菌、ガンマー線滅菌等（以下、滅菌処理という）を施すことにより、医療業界での使用範囲が広がる。ケア用品の製品企画は任意である。
【００２７】
薬事以外は、例えば、前述の薬事を除く雑貨であり、雑貨の材料の、例えば、袋体内部に温感或いは冷感の液材、粉体、クレイ、植物抽出液、植物オイル等の選択された薬事原料以外で効果を示す。例えば、薬剤を設けていない袋体に自らに適合する雑貨を充填して装着することもできる。
【００２８】
ケア用品の、外側フィルムは、例えば、ナイロン、ポリエチレン、ポリプロピレン、ポリエチレンテレフタレート、アクリル又は前記系統等を用い、必要に応じて樹脂フィルムの両面又は片方の面にアルミ蒸着又はシリカ蒸着又はセラミック蒸着又はアルミ箔、高ガスバリアフィルム等の材料を用途に合わせてラミネートする。
【００２９】
加えて、外側フィルムの採用の選択は、コストの面やケア用品の使用感や薬事の適正を考慮して任意であり、使用期限を短くする等の、包装体に使用期限を記載する場合は薬事法の規則に従うとよい。
【００３０】
ケア用品の、内側フィルムは、化学繊維のみからなる不織布シートの、例えば、ナイロン、ポリエチレン、ポリプロピレン、ポリエチレンテレフタレート、アクリル等又は前記系統の化学繊維等の単体或いは互いの一つを混ぜた化学繊維のみからなる不織布シートであり、例えば、目付１０ｇ／ｍ２〜の不織布シートを用いることが望ましく、シャンプーについての目付は使用性や含浸量を考慮すると大きいほうが望まれる。
【００３１】
ケア用品の、袋体内部に薬剤の中の液剤を設ける場合においては、内側フィルムに天然繊維の不織布シートを用いると、内部と外部を遮断したとする輪郭のシールの断面に天然繊維の不織布シートの層が現れて、内部の双方の天然繊維の不織布シートに含浸された薬液が双方の天然繊維の不織布シートを通して外部とする断面から浸み出すことで内部の薬液の原料の構成や容量が崩れて、薬事法に係る安全テスト合格の範囲外になるので、天然繊維からなる不織布シートを使用する場合は薬剤の種類に注意を必要とする。
【００３２】
本願発明のケア用品は、薬事に対応する製品仕様を５つのタイプに分けて、少なくとも袋体を折り畳まれてプラスチック容器、紙容器、化粧箱、封入袋、吊り下げ袋等の包装体（以下、包装体という）に入れる。
【００３３】
タイプ１、頭部を被覆装着することができる袋状の袋体であり、積層体の周縁全周をシールによるシール帯を設け、袋体の外部と内部を遮断し密閉する容器とし、袋体内部には薬剤を設け、頭部に被覆装着するための開口部シール帯を切り取り手段により取り除くことができるケア用品である。
【００３４】
タイプ２、バリア機能を有する密閉された包装袋にタイプ１を封入する
【００３５】
タイプ３、タイプ１の袋体を構成する外側フィルム２層はバリア機能を有する。
【００３６】
タイプ４、バリア機能が無い包装袋にタイプ３を封入する。
【００３７】
タイプ５、バリア機能を有する包装袋にタイプ３を封入する
【００３８】
袋体を構成する外側フィルムの樹脂フィルムと内側フィルムの化学繊維の不織布シートの構成に薬剤を充填し、スムーズに含浸させるのは難儀なので、含浸を容易に行う方法の一つに、少なくとも外側樹脂フィルムの面と化学繊維の不織布シートの面とをシールにより固着させると毛細管現象の作用も加わり袋体内部に薬剤が容易に広まり含浸がスムーズである。
【００３９】
袋体の、ハサミ等の用具の使用を除き、例えば、シール帯から開口部シール帯を取り除く切り欠きは、内側の化学繊維の不織布シートには切り欠き方向性を有しないので、切り欠き方向を有する樹脂フィルムと化学繊維の不織布シートの積層体に熱を加えて一体化させることで、化学繊維の不織布シートにも切り欠き方向を付与すると、開口部シール帯を容易に取り除くことができる。
【００４０】
本願発明のケア用品の、袋体の外側フィルムと内側フィルムの構成は、内側フィルムは外側フィルム以下の面積であると、例えば、開口部シール帯を切り欠いて取り除く領域に不織布シートを除くと袋体の開口部シール帯を切り口からスムーズに切り欠いて取り除くことができる。
【００４１】
加えて、内側フィルムを外側フィルムと同じ面積で構成し、外側フィルムの外側樹脂フィルムと内側フィルムの化学繊維の不織布シートの少なくとも一部の面を互いに高周波、熱シールで固着させると開口部付近の内側フィルムに引っ掛かることなく被覆することがスムーズである。
【００４２】
袋体の開口部は、使用者の頭部の外周に適合する開口部内側周囲の寸法が選択できる機能を設けている。
【００４３】
シール帯から開口部シール帯を取り除く際、使用者の頭部の周囲のサイズにあわせるための、切り取り手段と切り欠き方向の目安となる切り取るための切り欠き方向線や絵図等（以下、目印という）を示す。例えば、開口部シール帯を取り除くための、開口部と平行に設けられた切り欠き方向を示す切り欠き方向線と切り欠き方向線の周縁に位置する切り口と切り欠き方向線の切り口と反対に位置する切り欠き止め線のセットを、少なくとも１組設けると、使用者は頭部に見合う寸法を選択して袋体を頭部に被覆装着できる。
【００４４】
袋体は、蛇腹構成を有しており、使用者の頭部に被覆装着し、袋体に設ける薬剤や雑貨を効率よく頭髪や頭皮に作用させるものであり、蛇腹構成符号４は、例えば、前頭葉部から襟足部に向いて少なくとも側面の一部に設ける。蛇腹は、例えば、袋体の断面形状が鋸歯状のこぎり刃形状の少なくとも１つを折り返して、左右双方の指先を蛇腹と蛇腹の間の少なくとも一部凹み部分に指先部が係り、任意の部位の毛髪の生え際から毛髪端部の毛髪の束を蛇腹の方向に入れ込んで毛髪を指先で揉み解すことができる。頭皮へのマッサージも同じである。
【００４５】
本願発明は、袋体の下部の、左右双方の耳部の近傍に双方突端部符号１２を設け、左右双方の耳部にかけるための、双方の突端部に少なくとも１本の切り欠き線符号１３を設け、又は、少なくとも１本の切り欠き線に寸法調整のための、切りとることができる少なくとも１つの切り残し部符号２０と不連続の少なくとも１本の切り欠き線符号１４を設け、ケア用品を頭部に被覆装着する際に左右双方の耳部に突端部を掛けて袋体をしっかり固定することができるケア用品となる。加えて、左右双方の突端部に設ける切り欠き線を切り欠き孔に代えても問題としない。
【００４６】
更には、ケア用品の袋体を頭部に被覆装着して固定させるための、例えば、左右双方の耳部近傍の突端部等に延長する帯状体を自らに備えて、帯状体の一部に粘着が可能な粘着部を設け、突端部又は片方の側面から顎部等を経てもう一方の側面に貼り付けて袋体を固定させるケア用品となる。
【００４７】
上述の他に、袋体を構成する断面は、１枚の外側フィルムに少なくとも１層の内側フィルムを積層して、内側フィルムと内側フィルムが向かい合う方法で折り合わせて構成し、シールによるシール帯で内部と外部を遮断して上述と同じ密閉する容器にできる。
【００４８】
本願発明の袋体には、袋体の使用性を高めることができる、例えば、開口部シール帯を取り除くための、切り口等の切り取り手段や、切り欠く方向を示す等の切り取り方向線、用具等での切りとり手段や用法を指示する絵図、図示（以下、目印という）を設ける。
【００４９】
本願発明のバンケット部は、特に、長髪の方々の頭部にも被覆装着ができて、襟足部の毛髪をバンケット部に包みながらケアできるバンケット部の容量にＬＭＳを設けると利用者には重宝である。
【００５０】
本願発明を出願した出願人が既に特許登録の、例えば、顔から首元までの美容用法ができるパック用シートと併用すると、凡そ首部のデコルテ形状より上部のエステは完璧である。消費者は、例えば、家庭での実施が美容の習慣となれば一度の時間で効果が大きい。
【００５１】
本願発明の袋体の図３は、流れ方向符号１８とフィルムの幅方向符号１９の２層の外側フィルム符号１７に内側フィルム符号１６を積層する積層体の周縁全周にシールを施すシール帯を設け、袋体の内部と外部を密閉する容器とし、シール帯の一部が取り除き可能な開口部シール帯を設け、溶断及び／又は刃型で打ち抜かれて形成される。商品企画に応じて密閉する際、袋体内部に薬剤又は雑貨を設ける。
【００５２】
袋体の内部に薬剤を設けないケア用品の構成に周縁全周にシール帯を設ける必要性は、例えば、周縁全周にシールを設けるシール帯は、外部から内部へ外気が前記内部に流入する空気汚染の防止している。更には、前記内部の安全性を維持するために、例えば、不活性ガス置換のガスが前記内部から外部への流出を防止する仕様であり、前記内部をガンマー線照射による滅菌状態を維持する仕様である。
【実施例】
【００５３】
本願発明のケア用品の実施例図２は、図１の、袋体の自らの頭部に見合う、切り口から切り欠き方向を示す線に沿って切り欠いて、切り欠きを受け止める切り欠き止め線まで切り欠き、開口部シール帯を取り除いて、直に又は洗髪後の頭部に被覆装着する。左右双方の突端部を、襟足部の毛髪をバンケット部に包み左右双方の耳部に掛けて袋体を固定し、少なくとも側面に設ける蛇腹と蛇腹の間に左右両方の指先で毛髪を揉む又は頭皮のマッサージを行う。例えば、長髪の方々でも、襟足部の毛髪を大きいタイプのバンケット部に包みケアできる開発品があるので方々には吉報である。
【００５４】
袋体に薬剤を含まないケア用品の使用は、自らが開口部シール帯を取り除いて開口部を作り、自らに適合する薬剤を任意に袋体に注ぎ入れる。例えば、手袋への液剤であれば、１５ｍＬ〜２０ｍＬぐらいを充填し、又は、自らが薬剤を頭髪や頭皮に適量を塗布してケア用品を装着する用法であってもよい。
【００５５】
ケア用法の時間は１５分程度であるが、装着の時間は使用目的ごとの用法に準じる。
【符号の説明】
【００５６】
１      本願発明のケア用品
２      開口部のシール帯
３      周縁全周のシール帯    
４      蛇腹
５      切り欠き方向線
６      切り口（Ｌ）
７      切り欠き止め線（Ｌ）
８      切り口（Ｍ）
９      切り欠き止め線（Ｍ）
１０    切り口（Ｓ）
１１    切り欠き止め線（Ｓ）
１２    耳かけ突端部
１３    耳部切り欠き線
１４    耳部調整切り欠き線
１５    バンケット部
１６    内側フィルム
１７    外側フィルム
１８    フィルムの流れ方向
１９    フィルムの幅方向
２０    切り残し部
２１    襟足部
【要約】
【課題】        
頭部を被覆し、薬事に対応する頭髪又は頭皮用のケア用品を提供する。
【解決手段】    
頭部の領域を被覆することができる袋体であり、袋体は、外側フィルムの２層を積層する又は外側フィルム２層の間に内側フィルムを少なくとも１層を積層し、その積層体の周縁全周をシールしたシール帯で袋体の内部と外部を遮断して密閉し、シール帯の一部が取り除き可能な開口部シール帯を設けた容器とし、溶断及び／又は刃型で打ち抜かれて形成された頭髪又は頭皮をケアするケア用品。用途に応じて袋体の内部に薬剤又は雑貨を収納する。
【選択図】図１【図１】
0005883180.tif 000002
【図２】
0005883180.tif 000003
【図３】
0005883180.tif 000004